(57)【要約】【課題】資源浪費を防止するとともに、安価な費用で画面を拡大することができるテレビシステムを提供する。【解決手段】本発明は、表示パネルを着脱可能な状態に支持して固定でき、かつ、種々の大きさの表示パネルが収容可能な拡張性を有するパネル支持部と、種々の情報を含む信号を外部から受信して処理した後、前記表示パネルと一体的に形成され、かつ前記表示パネルに映像信号を供給する信号処理モジュールとを備えるテレビシステムを提供する。このようなテレビシステムにより、大画面テレビへの交換時における資源浪費を防止するとともに、安価な費用で画面を拡大することができる。【選択図】図１
2007037136.tif 000002
【特許請求の範囲】
【請求項１】
画像を表示するための表示パネルと、
表示パネルを支持または固定するための表示パネル支持部材と、
前記表示パネル支持部材と一体的に形成され、前記表示パネルに映像信号を供給するための信号処理モジュールと、を備え、
前記表示パネル支持部材は、複数の表示パネルの大きさに対応可能であり、かつ、当該表示パネルに着脱可能に構成されていることを特徴とするテレビシステム。
【請求項２】
表示パネルを支持または固定するための表示パネル支持部材と、
前記表示パネル支持部材と一体的に形成され、前記表示パネルに映像信号を供給するための信号処理モジュールと、を備え、
前記表示パネル支持部材は、複数の表示パネルの大きさに対応可能であり、かつ、当該表示パネルに着脱可能に構成されていることを特徴とするテレビシステム。
【請求項３】
前記表示パネルは平板表示装置であることを特徴とする請求項１に記載のテレビシステム。
【発明の詳細な説明】
【技術分野】
【０００１】
本発明はテレビシステムに関する。
【背景技術】
【０００２】
一般家庭に高い普及率で備えられているテレビは、視覚及び聴覚によって情報を伝達する最も普遍的な放送媒体である。近年では、放送媒体としての役割のみならず、コンピュータモニター、ＶＴＲ（ｖｉｄｅｏ ｔａｐｅ ｒｅｃｏｒｄｅｒ）またはＤＶＤ（ｄｉｇｉｔａｌ ｖｉｄｅｏ ｄｉｓｋ）などの再生装置、ＤＶＩ（ｄｉｇｉｔａｌ ｖｉｄｅｏ ｉｎｔｅｒａｃｔｉｖｅ）媒体などとしても活用される等、その使用範囲が次第に広くなっている。
【０００３】
テレビの表示画面にはブラウン管（ＣＲＴ）が使用されていたが、近年、液晶表示装置（ＬＣＤ）、プラズマディスプレイパネル（ＰＤＰ）、有機発光表示装置（ＯＬＥＤ）などの平板表示装置が普及されており、ＣＲＴを代替している。
【０００４】
表示画面として平板表示装置を使用するテレビの場合、厚さが薄くかつ画面の大きさもブラウン管では実現できない大きさまで拡大されている。このような大画面化は速い速度で進められており、大画面のテレビに対する需要も急増している。
【０００５】
ところが一般テレビは、画面を構成する表示部、スピーカ、チューナボックスなどが一体化されており、大画面を望む場合、ユーザは前記一体化された新たなテレビに交替しなければならない。よって、ユーザには多大な費用がかかり、使用可能な部分まで捨てられるので、資源の無駄遣いになるという問題があった。
【発明の開示】
【発明が解決しようとする課題】
【０００６】
本発明は、前記のような従来の問題点を解決するためになされたものであって、その目的は、資源浪費を防止するとともに、安価な費用で画面を拡大することができるテレビシステムを提供することである。
【課題を解決するための手段】
【０００７】
前述した目的を達成するために、本発明では、表示パネルを着脱可能な状態に支持して固定するパネル支持部と、種々の情報を含む信号を外部から受信して処理した後、表示パネルに映像信号を供給する信号処理モジュールとを備えるテレビシステムを提供する。
【０００８】
本発明の一実施形態によれば、表示パネル支持部に着脱可能な状態に固定された表示パネルをさらに備える。ここで表示パネルとは、液晶表示装置、プラズマディスプレイパネル、有機電界発光表示装置、電界効果電子放出表示素子などの平板表示装置を意味する。
【０００９】
本発明の一実施形態によれば、前記表示パネル支持部と前記信号処理モジュールが一体化されており、一つの固定装置を構成することを特徴とする。
【００１０】
本発明の一実施形態によれば、前記信号処理モジュールは、ＴＭＤＳ受信部、ＴＭＤＳ送信部、スケーラー／マイコン、ＤＶＩ信号入力部、ＰＣ信号入力部、ビデオ信号入力部、ビデオデコーダー、デインターレーサ、Ａ／Ｄコンバータ、チューナ及びディモード／信号処理部を有することを特徴とする。
【００１１】
本発明の一実施形態によれば、前記表示パネル支持部と一体に形成されて一つの固定装置を構成するＴＭＤＳ受信部をさらに備え、前記信号処理モジュールは、ＴＭＤＳ送信部、スケーラー／マイコン、ＤＶＩ信号入力部、ＰＣ信号入力部、ビデオ信号入力部、ビデオデコーダー、デインターレーサ、Ａ／Ｄコンバータ、チューナ及びディモード／信号処理部を有することを特徴とする。
【発明の効果】
【００１２】
本発明によれば、資源浪費を防止するとともに、安価な費用で画面を拡大することができるテレビシステムを提供することができる。
【発明を実施するための最良の形態】
【００１３】
添付した図面を参照して、本発明の実施形態を、本発明が属する技術分野における通常の知識を有する者が容易に実施することができるように詳細に説明する。しかし、本発明は、多様な形態で実現することができ、ここで説明する実施形態に限定されない。
【００１４】
図面は、各種層及び領域を明確に表現するために、厚さを拡大して示している。明細書全体を通じて類似した部分については同一な参照符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００１５】
本発明の一実施形態に係るテレビシステムの構造について図１乃至図５を参照して詳細に説明する。
【００１６】
図１は本発明の一実施形態に係るテレビシステムの構成図であり、図２は図１のテレビシステムのブロック図である。
【００１７】
図１に示すように、本発明の一実施形態に係るテレビシステムは、表示パネル１０及び固定装置２０を備えており、このようなテレビシステムを適用して運用できる装置の例には、コンピュータ３０、ビデオ４０、ＤＶＩ５０などがある。
【００１８】
図１及び図２に示すように、表示パネル１０は画像を表示する表示部１１０と、表示部１１０を駆動して画像を表示するようにする駆動回路部１２０とを有する。
【００１９】
固定装置２０は、表示パネル１０を着脱可能な形態に支持して固定するパネル支持部２１０、コンピュータ３０、ビデオ４０、ＤＶＩ５０などの外部機器から伝送される映像及び音声信号や、公衆波またはケーブルなどの放送信号を受信し必要な処理を施して、表示パネル１０に供給する信号処理モジュール２３を備える。
【００２０】
ここで、パネル支持部２１０は、種々の大きさの表示パネル１０を収容できる拡張性を有し、表示パネル１０の着脱を容易にすることができる結合手段を有する。表示パネル１０とパネル支持部２１０との結合方法としては、ボルトとナットを利用する方法、スロット状の枠に嵌め込むか、あるいは表示パネルの大きさに応じて大きさの調節が可能な四角形状の枠に固定する方法などがある。
【００２１】
信号処理モジュール２３は、ＴＭＤＳ（Ｔｒａｎｓｉｔｉｏｎ Ｍｉｎｉｍｉｚｅｄ Ｄｉｆｆｅｒｅｎｔｉａｌ Ｓｉｇｎａｌｉｎｇ）受信部２１２、ＴＭＤＳ送信部２１４、スケーラー／マイコン２３０、ＤＶＩ信号入力部２２０、ＰＣ信号入力部２４２、ビデオ信号入力部２５４、ビデオデコーダー２５２、デインターレーサ２５０、Ａ／Ｄコンバータ２４０、チューナ２６２及びディモード／信号処理部２６０を有する。
【００２２】
次に、信号処理モジュール２３について詳細に説明する。
【００２３】
ビデオ信号入力部２５４は、ジャックで構成されてＶＴＲやＤＶＤなどの外部の信号源からＣＶＢＳ、Ｓ−映像、またはＹＰｂＰｒのようなビデオ信号２５６の入力を受信し、ビデオデコーダー２５２は、ビデオ信号入力部２５４に入力される信号をデコーディングする。デインターレーサ２５０（ｄｅｉｎｔｅｒｌａｃｅｒ）は、前記デコーディングされた信号である飛越走査のためのビデオ信号を順次走査のためのビデオ信号に変換して出力する。
【００２４】
ＰＣ信号入力部２４２は、ジャックで構成され、外部のＰＣから入力されるアナログ形態の映像信号及び制御信号２４４を受信し、Ａ／Ｄコンバータ２４０は、ＰＣ信号入力部２４２が受信した信号をデジタル信号に変換した後、出力する。
【００２５】
ＤＶＩ信号入力部２２０は、ジャックで構成され、外部の信号源からＴＭＤＳ変換されたＤＶＩ信号２２２を受信して、別途の信号処理過程なしにＴＭＤＳ受信部２１２に伝送する。
【００２６】
チューナ２６２は、外部の公衆波、ケーブルあるいは衛星から所定のＲＦ信号を受信して、中間周波数（ＩＦ;ｉｎｔｅｒｍｉｄｉａｔｅ ｆｒｅｑｕｅｎｃｙ）に変換して出力し、ディモード／信号処理部２６０は、前記当該チャンネルのＩＦを処理して映像信号として出力する。
【００２７】
スケーラー／マイコン２３０は、デインターレーサ２５０とＡ／Ｄコンバータ２４０及びディモード／信号処理部２６０から出力される信号を表示パネル１０の解像度に合うように変換してＴＭＤＳ送信部２１４に伝送し、信号処理モジュール２３を全般的に制御する。スケーラー／マイコン２３０は、本発明の好適な実施形態のように、ワンチップ化したＩＣを用いることも可能であるが、スケーラー及びマイコンをそれぞれ分離して用いることも勿論可能である。
【００２８】
ＴＭＤＳ送信部２１４は、スケーラー／マイコン２３０から伝送される信号をＴＭＤＳ伝送フォーマットに変換してＴＭＤＳ受信部２１２に伝送する。
【００２９】
ＴＭＤＳ受信部２１２は、ＴＭＤＳ送信部２１４を介して受信した映像信号をＴＭＤＳ逆変換した後、表示パネル１０の駆動回路部１２０に伝送する。
【００３０】
駆動回路部１２０は、ＴＭＤＳ受信部２１２から伝送される信号に従って表示部１１０を駆動して映像表示する。
【００３１】
次に、本発明の実施形態に係るテレビシステムに用いられる表示パネル１０についてより詳細に説明する。以下、液晶表示装置を例に挙げて説明する。
【００３２】
図３は図１のテレビシステムに用いられる液晶表示装置のブロック図であり、図４は図３の液晶表示装置の分解斜視図であり、図５は図３の液晶表示装置を構成する一つの画素に対する等価回路図である。
【００３３】
図３に示すように、本発明の一実施形態に係る液晶表示装置は、液晶表示板組立体３００及びこれに接続されたゲート駆動部４００とデータ駆動部５００、データ駆動部５００に接続された階調電圧生成部８００、液晶表示板組立体３００に光を照射する光源部９１０、光源部９１０を制御する光源駆動部９２０及びこれらを制御する信号制御部６００を備える。
【００３４】
一方、図４に示すように、本発明の一実施形態に係る液晶表示装置の構造によれば、表示部３３０とバックライト部３４０を有する液晶モジュール３５０と、液晶モジュール３５０を収納し固定する前面及び背面シャーシ３６１、３６２、モールドフレーム３６３、３６４を備える。
【００３５】
表示部３３０は、液晶表示板組立体３００とこれに付着されたゲートテープキャリアパッケージ（ＴＣＰ）４１０及びデータＴＣＰ５１０、並びに当該ＴＣＰ４１０、５１０に付着されたゲート印刷回路基板（ＰＣＢ）４５０及びデータＰＣＢ５５０を備える。
【００３６】
液晶表示板組立体３００は、図４及び図５に示すように構造的には、下部表示板１００及び上部表示板２００とその間に挟持された液晶層３を備えており、図３及び図５に示すように、等価回路的には、複数の表示信号線Ｇ１-Ｇｎ、Ｄ１-Ｄｍと、これに接続されてほぼ行列状に配列された複数の画素（ｐｉｘｅｌ）を備える。
【００３７】
表示信号線Ｇ１-Ｇｎ、Ｄ１-Ｄｍは、下部表示板１００に備えられており、ゲート信号（走査信号とも言う）を伝達する複数のゲート線Ｇ１-Ｇｎとデータ信号を伝達するデータ線Ｄ１-Ｄｍを有する。ゲート線Ｇ１-Ｇｎは、ほぼ行方向に延びて互いにほぼ平行であり、データ線Ｄ１-Ｄｍはほぼ列方向に延びて互いにほぼ平行である。
【００３８】
各画素は、表示信号線Ｇ１-Ｇｎ、Ｄ１-Ｄｍに接続されたスイッチング素子Ｑと、これに接続された液晶キャパシタＣＬＣ及びストレージキャパシタＣＳＴを有する。ストレージキャパシタＣＳＴは必要に応じて省略してもよい。
【００３９】
薄膜トランジスタなどスイッチング素子Ｑは、下部表示板１００に備えられ、三端子素子としてその制御端子及び入力端子はそれぞれゲート線Ｇ１-Ｇｎ及びデータ線Ｄ１-Ｄｍに接続されており、出力端子は液晶キャパシタＣＬＣ及びストレージキャパシタＣＳＴに接続されている。
【００４０】
液晶キャパシタＣＬＣは、下部表示板１００の画素電極１９０と上部表示板２００の共通電極２７０を二つの端子とし、二つの電極１９０、２７０の間の液晶層３は誘電体として機能する。画素電極１９０はスイッチング素子Ｑに接続され、共通電極２７０は上部表示板２００の全面に形成されて共通電圧Ｖｃｏｍの印加を受ける。図３と異なり、共通電極２７０が下部表示板１００に備えられる場合もあり、この時には、二つの電極１９０、２７０のうちの少なくとも一つが線状または棒状に形成されることができる。
【００４１】
液晶キャパシタＣＬＣの補助的な役割を果たすストレージキャパシタＣＳＴは、下部表示板１００に備えられた別個の信号線（図示せず）と画素電極１９０が絶縁体を介して重畳することによって構成され、この別個の信号線には共通電圧Ｖｃｏｍなどの定められた電圧が印加される。しかし、ストレージキャパシタＣＳＴは、画素電極１９０が絶縁体を介してすぐ上の前段ゲート線と重畳することによって構成されることができる。
【００４２】
一方、色表示を実現するために各画素が三原色のうちの一つを固有に表示したり（空間分割）、各画素が時間によって交互に三原色を表示したりする（時間分割）ことによって、これら三原色の空間的、時間的な作用で所望の色相が認識されるようにする。図５は空間分割の一例であり、各画素が画素電極１９０に対応する上部表示板２００の領域に赤色、緑色、または青色のカラーフィルタ２３１を備えている。図５と異なり、カラーフィルタ２３１は下部表示板１００の画素電極１９０の上または下に形成することもできる。
【００４３】
図４において、バックライト部３４０は、液晶表示板組立体３００の下部に装着されており、複数の発光ダイオード３４４がＰＣＢ基板３４５に実装されてなる光源体３４９、組立体３００と発光ダイオード３４４との間に位置し発光ダイオード３４４からの光を組立体３００に拡散する導光板３４２及び複数の光学シート３４３、ＰＣＢ基板３４５上部に位置し発光ダイオード３４４の発光部を突出させる複数の孔を有し、発光ダイオード３４４からの光を組立体３００側に反射する反射板３４１、並びに反射板３４１と導光板３４２との間に装着されて、光源体と導光板３４２と間の距離を一定に維持し、導光板３４２と光学シート３４３を支持するモールドフレーム３６４を有する。
【００４４】
バックライト部３４０は、ＣＣＦＬなどの蛍光ランプを光源として用いてもよい。
【００４５】
液晶表示板組立体３００の二つの表示板１００、２００の外側面には、光源体３４９から出る光を偏光させる偏光子（図示せず）が付着されている。
【００４６】
図３と図４に示すように、階調電圧生成部８００はデータＰＣＢ５５０に備えられており、画素の透過率に関連する二対の複数階調電圧を生成する。二対のうちの一対は共通電圧Ｖｃｏｍに対して正の値を有し、もう一つは負の値を有する。
【００４７】
ゲート駆動部４００は、集積回路ＩＣチップの形態として各ゲートＴＣＰ４１０上に装着されており、液晶表示板組立体３００のゲート線Ｇ１-Ｇｎに接続され外部からのゲートオン電圧Ｖｏｎとゲートオフ電圧Ｖｏｆｆの組み合わせからなるゲート信号をゲート線Ｇ１-Ｇｎに印加する。
【００４８】
データ駆動部５００は、ＩＣチップの形態として各データＴＣＰ５１０上に装着されており、液晶表示板組立体３００のデータ線Ｄ１-Ｄｍに接続され階調電圧生成部８００からの階調電圧より選択したデータ電圧をデータ線Ｄ１-Ｄｍに印加する。
【００４９】
本発明の別の実施形態によれば、ゲート駆動部４００またはデータ駆動部５００は、ＩＣチップの形態として下部表示板１００上に装着されており、また別の実施形態によれば、下部表示板１００にその他の素子等と共に集積される。この二つの場合、ゲートＰＣＢ４５０またはゲートＴＣＰ４１０は省略してもよい。
【００５０】
ゲート駆動部４００及びデータ駆動部５００などの動作を制御する信号制御部６００は、データＰＣＢ５５０またはゲートＰＣＢ４５０に備えられている。
【００５１】
次に、このような液晶表示装置の表示動作について詳細に説明する。
【００５２】
信号制御部６００は、外部のグラフィック制御部（図示せず）から入力映像信号Ｒ、Ｇ、Ｂ及びその表示を制御する入力制御信号、例えば、垂直同期信号Ｖｓｙｎｃと水平同期信号Ｈｓｙｎｃ、メインクロックＭＣＬＫ、データイネーブル信号ＤＥなどの提供を受ける。信号制御部６００は、入力映像信号Ｒ、Ｇ、Ｂと入力制御信号に基づいて映像信号Ｒ、Ｇ、Ｂを液晶表示板組立体３００の動作条件に合うように適切に処理し、ゲート制御信号ＣＯＮＴ１及びデータ制御信号ＣＯＮＴ２などを生成した後、ゲート制御信号ＣＯＮＴ１をゲート駆動部４００に送出し、データ制御信号ＣＯＮＴ２と処理した映像信号ＤＡＴはデータ駆動部５００に送出する。
【００５３】
ゲート制御信号ＣＯＮＴ１は、フレームの開始を知らせる垂直同期開始信号ＳＴＶ、ゲートオン電圧Ｖｏｎの出力時期を制御するゲートクロック信号ＣＰＶ及びゲートオン電圧Ｖｏｎの持続時間を限定する出力イネーブル信号ＯＥなどを含む。
【００５４】
データ制御信号ＣＯＮＴ２は、映像データＤＡＴの伝送開始を知らせる水平同期開始信号ＳＴＨとデータ線Ｄ１-Ｄｍにデータ電圧の印加を指示するロード信号ＬＯＡＤ、共通電圧Ｖｃｏｍに対するデータ電圧の極性（以下、共通電圧に対するデータ電圧の極性を略してデータ電圧の極性という）を反転させる反転信号ＲＶＳ及びデータクロック信号ＨＣＬＫなどを含む。
【００５５】
データ駆動部５００は、信号制御部６００からのデータ制御信号ＣＯＮＴ２に従って一つの行の画素に対する映像データＤＡＴを順次に受信してシフトさせ、階調電圧生成部８００からの階調電圧のうちの各映像データＤＡＴに対応する階調電圧を選択することによって、映像データＤＡＴを当該データ電圧に変換した後、これを当該データ線Ｄ１-Ｄｍに印加する。
【００５６】
ゲート駆動部４００は、信号制御部６００からのゲート制御信号ＣＯＮＴ１に従ってゲートオン電圧Ｖｏｎをゲート線Ｇ１-Ｇｎに印加して、このゲート線Ｇ１-Ｇｎに接続されたスイッチング素子Ｑを導通させ、これによってデータ線Ｄ１-Ｄｍに印加されたデータ電圧が導通したスイッチング素子Ｑを介して当該画素に印加される。
【００５７】
画素に印加されたデータ電圧と共通電圧Ｖｃｏｍとの差は、液晶キャパシタＣＬＣの充電電圧、つまり、画素電圧として現れる。液晶分子は、画素電圧の大きさによってその配列が異なる。
【００５８】
光源駆動部９２０は、光源部９１０に印加される電流を制御して光源部９１０を構成する発光ダイオード３４４を点滅し、その明るさを制御する。
【００５９】
このような光源駆動部９２０の動作に従って発光ダイオード３４４から出た光は、液晶層３を透過しながら液晶分子の配列によってその偏光が変化する。このような偏光の変化は偏光子によって光透過率の変化として現れる。
【００６０】
１水平周期（または１Ｈ）（水平同期信号Ｈｓｙｎｃ、データイネーブル信号ＤＥ、ゲートクロックＣＰＶの一周期）が経過すれば、データ駆動部５００とゲート駆動部４００は、次行の画素に対して同一動作を繰り返す。このような方式で、１フレームの間全てのゲート線Ｇ１-Ｇｎに対して順次にゲートオン電圧Ｖｏｎを印加し、全ての画素にデータ電圧を印加する。１フレームが終了すれば次のフレームが開始され、各画素に印加されるデータ電圧の極性が直前フレームでの極性と逆になるように、データ駆動部５００に印加される反転信号ＲＶＳの状態が制御される（フレーム反転）。
【００６１】
この時、１フレーム内でも反転信号ＲＶＳの特性によって一つのデータ線を通じて流れるデータ電圧の極性が変わったり（行反転、ドット反転）、一つの画素行に印加されるデータ電圧の極性も互いに異なることとしたりすることができる（列反転、ドット反転）。
【００６２】
以上、本発明によるテレビシステムの表示パネル１０として液晶表示装置を例にとって説明したが、プラズマディスプレイパネル（ＰＤＰ）、有機電界発光表示装置（ＯＬＥＤ）、電界効果電子放出表示素子（ＦＥＤ）などの平板表示装置を本発明によるテレビシステムの表示パネル１０として用いることができる。
【００６３】
上述したように、本発明の実施形態に係るテレビシステムは、液晶表示装置などからなる表示パネル１０を固定装置２０に着脱可能であるので、表示パネル１０のみを交替することによって、より大きい画面を実現することができる。
【００６４】
なお、表示パネル１０の交替の際に、使用済みのパネルを販売者に返却すれば、販売者は消費者に対して新しいパネルの購入費用を割引するなどの方法により、販売量の増加、中古パネルの回収及び再販売の効果を得ることができる。
【００６５】
そして、製造者は、汎用的な信号処理モジュールを販売した後、それと表示パネルのみを別途販売することができるので、コスト節減及び販売量の増加という効果を得ることができる。
【００６６】
次に、本発明の別の実施形態に係るテレビシステムについて説明する。
【００６７】
図６は、本発明の別の実施形態に係るテレビシステムの構成図であり、図７は図６のテレビシステムのブロック図である。
【００６８】
本実施形態に係るテレビシステムは、図１及び図２に示したテレビシステムと異なり、信号処理モジュール２２が固定装置２１と分離されている点が特徴である。即ち、固定装置２１にはパネル支持部２１１とＴＭＤＳ受信部２１２が含まれており、信号処理モジュール２２は別途の装置として分離されている。この時、信号処理モジュール２２とＴＭＤＳ受信部２１２との間には、有線または無線通信方法で信号を伝達することができる。
【００６９】
このように、固定装置２１と信号処理モジュール２２が分離されている場合には、表示パネル１０と固定装置２１の美的調和などを考慮して、表示パネル１０と共に固定装置２１も容易に交替することができる。
【００７０】
本発明によるテレビシステムは、前記実施形態に限定されるものではなく、様々な変更及び変形が可能である。例えば、図６及び図７の実施形態において、ＴＭＤＳ受信部２１２を固定装置２１から分離して信号処理モジュール２２に設置し、固定装置２１が単にパネル支持及び表示パネル１０と信号処理モジュール２２の電気的接続を図る役割だけをするようにすることができる。または、固定装置２１は単にパネル支持の役割だけをし、表示パネル１０と信号処理モジュール２２との間の信号送受信のための電気的接続は、表示パネル１０と信号処理モジュール２２が有線または無線で直接接続されるようにすることもできる。
【００７１】
以上、本発明の好ましい実施形態について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００７２】
【図１】本発明の一実施形態に係るテレビシステムの構成図である。
【図２】図１に示すテレビシステムのブロック図である。
【図３】図１に示すテレビシステムに使用される液晶表示装置のブロック図である。
【図４】図３に示す液晶表示装置の分解斜視図である。
【図５】図３の液晶表示装置を構成する一つの画素に対する等価回路図である。
【図６】本発明の別の実施形態に係るテレビシステムの構成図である。
【図７】図６に示すテレビシステムのブロック図である。
【符号の説明】
【００７３】
３    液晶層、
１０    表示パネル、
２０、２１    固定装置、
２２、２３    信号処理モジュール、
３０    コンピュータ、
４０    ビデオ、
５０    ＤＶＩ、
１００    下部表示板、
１１０    表示部、
１２０    駆動回路部、
２００    上部表示板、
２１０、２１１    表示パネル支持部、
２１２    ＴＭＤＳ受信部、
２１４    ＴＭＤＳ送信部、
２２０    ＤＶＩ信号入力部、
２２２    ＤＶＩ信号、
２３０    スケーラー／マイコン、
２３１    カラーフィルタ、
２４０    Ａ／Ｄコンバータ、
２４２    ＰＣ信号入力部、
２４４    ＰＣ信号、
２５０    デインターレーサ、
２５２    ビデオデコーダー、
２５４    ビデオ信号入力部、
２５６    ビデオ信号、
２６０    ディモード／信号処理部、
２６２    チューナ、
２７０    共通電極、
３００    液晶表示板組立体、
３３０    表示部、
３４０    バックライト部、
３４１    反射板、
３４２    導光板、
３４３    光学シート、
３４４    発光ダイオード、
３４５    ＰＣＢ基板、
３４９    光源体、
３５０    液晶モジュール、
３６１    前面シャーシ、
３６２    背面シャーシ、
３６４    モードフレーム、
４００    ゲート駆動部、
４１０    ゲートＴＣＰ、
４５０    ゲートＰＣＢ、
５００    データ駆動部、
５１０    データＴＣＰ、
５５０    データＰＣＢ、
６００    信号制御部、
８００    階調電圧生成部、
９１０    光源部、
９２０    光源駆動部。
【図１】
2007037136.tif 000003
【図２】
2007037136.tif 000004
【図３】
2007037136.tif 000005
【図４】
2007037136.tif 000006
【図５】
2007037136.tif 000007
【図６】
2007037136.tif 000008
【図７】
2007037136.tif 000009